(57)【要約】【課題】アーティストのオリジナルの楽曲を一般の購入者に効果的に宣伝し、一般の購入者がオリジナル曲を簡単に入手できるようにすること。【解決手段】アーティストとＣＤ製造販売会社、および一般の購入者が役割分担する形で行動し、全体をインターネットでまとめたＣＤ製作と音楽配信・販売システムとしての楽曲販売支援システムである。１はアーティストの、２はＣＤ製作・販売会社の、３は一般の購入者の、それぞれの行動内容を表す。アーティストはオリジナル曲を用意してＣＤ製作、販売会社に申込む。ＣＤ製造・販売会社はアーティストのオリジナル曲を自己のホームページで宣伝する。一般の購入者はオリジナル曲をインターネットでホームページを閲覧して注文する。これにより、アーティストとＣＤ製作・販売会社および一般の購入者が一体となった、オリジナル曲のＣＤ製作と音楽配信・販売を可能とする。【選択図】        図２
2004177808.tif 000002
【特許請求の範囲】
【請求項１】
楽曲情報を入力して該楽曲情報を所定のデータベースに登録する登録手段と、
前記データベースに登録された楽曲情報の一部を所定のネットワーク上で公開する情報公開手段と、
前記ネットワーク上で公開された楽曲情報の注文を受け付ける受注手段と、
前記受注手段で受注された楽曲情報を、発注者に発送すべき商品に加工する加工手段と、
を備えた楽曲販売支援システム。
【請求項２】
前記情報加工手段により加工された商品を前記発注者宛に発送する発送手段を更に備えたことを特徴とする請求項１に記載された楽曲販売支援システム。
【請求項３】
前記ネットワーク上に公開された楽曲情報に対し人気ランキングを決定し、該人気ランキングを前記情報公開手段に公開させるランキング付与手段を更に備えたことを特徴とする請求項１または２に記載された楽曲販売支援システム。
【請求項４】
前記ランキング付与手段が、前記情報公開手段により前記ネットワーク上に公開された楽曲情報に対する投票を受け付け、該投票の結果に基づき前記人気ランキングを決定することを特徴とする請求項３に記載された楽曲販売支援システム。
【請求項５】
個人またはグループによる音楽のアーティストが、ＣＤ製作販売会社に、オリジナル曲、著作権の存在しない曲、または著作権使用許諾書を得た曲の演奏メディアなどの楽曲を申込むことにより、ＣＤ製作販売会社は前記楽曲をホームページに掲載し、インターネットを介して一般の購入者に前記楽曲を配信により販売し、または前記楽曲のＣＤを販売することを支援する楽曲販売支援方法。
【請求項６】
前記楽曲の人気ランキングを前記アーティストに知らせ、前記楽曲をインターネットを介して配信し、または前記楽曲のＣＤを作成して販売し、前記配信または販売のロイヤリティを前記アーティストに支払うことを特徴とする請求項５に記載された楽曲販売支援方法。
【請求項７】
前記ＣＤ製作販売会社は、前記アーティストから前記楽曲を入手し、これを他のアーティストからの楽曲と共にホームページに掲載して、インターネットを介して一般の購入者が視聴できるようにし、また前記楽曲の一部の曲の人気ランキングが前記アーティストにも一般の購入者にも分かるようにしながら、一般の購入者から購入希望者に対して、音楽をインターネットで配信し、またはＣＤを製作して販売することを特徴とする請求項５に記載された楽曲販売支援方法。
【請求項８】
前記一般の購入者はインターネットを介してＣＤ製作販売会社のホームページを閲覧し、楽曲の視聴により自己の好みの楽曲に投票しながら人気ランキングを知り、インターネットでの楽曲の配信、またはＣＤを購入することを特徴とする請求項５に記載された楽音販売支援方法。
【発明の詳細な説明】
【０００１】
【発明の属する技術分野】
本発明は、創作されたオリジナル曲の販売を支援するための楽曲販売支援システムに関し、更に詳しくは、アーティストからのオリジナル曲の申込を受けて、ＣＤ（Ｃｏｍｐａｃｔ  Ｄｉｓｃ；登録商標）製作販売会社のホームページに掲載し、インターネットを介して一般の購入者に宣伝して、一般の購入者がオリジナル曲を試聴しながら人気投票に参加する形式で、インターネットでオリジナル曲を配信したり、ＣＤを製作して販売することを支援するための技術に関する。
【０００２】
【従来の技術】
図３に、専属のアーティストのオリジナル曲が収録されたＣＤを販売するまでの手順の一例を示す。プロダクションに属する作詞・作曲家、歌手等のアーティストは、オリジナル曲を用意し（ステップＳ７１１）、プロダクションと所謂レコード会社等のＣＤ販売会社とオリジナル曲の企画を行い（ステップＳ７２１）、ＣＤ販売会社はオリジナル曲の原版を作成してＣＤ製造業者に大量のＣＤの製作を依頼する（ステップＳ７２２）。ＣＤ製造業者はオリジナル曲の原版を受け取ると（ステップＳ７３１）、この原版を用いてＣＤを大量生産する（ステップＳ７３２）。ＣＤ販売会社はこれと平行して一般の購入者にマスメディアでオリジナル曲を宣伝し（ステップＳ７２３）、販売活動を行う。そして、ＣＤ製造業者からオリジナル曲が収録されたＣＤを受け取り（ステップＳ７２４）、これを流通ルートにのせて販売する（ステップＳ７２５）。
【０００３】
一般の購入者はマスメディアで知ったオリジナル曲を、ＣＤ販売業者がＣＤ製造業者に依頼して流通ルートにのせた大量生産のＣＤを小売店等で購入する（ステップＳ７４１）。一般の購入者はインターネットでオリジナル曲を配信する形で購入できることもあるが、この場合も企画宣伝された大量生産のＣＤを購入することと変わりはない。また、オリジナル曲の人気ランキングはオリジナル曲の販売量に応じてＣＤ販売業者が行い、アーティストや一般の購入者が参加する形では行われない。
プロダクションに属さない作詞・作曲家や歌手等のアーティストでも、所謂レコード会社等のＣＤ販売会社にオリジナル曲の売込みを行い、ＣＤ販売会社とオリジナル曲の企画を行うことがある。この場合は宣伝や販売はＣＤ販売会社が行うので、アーティストがプロダクションに属しているか独立しているかの違いだけで、ＣＤの販売は図３に示すＣＤ販売会社による販売方法と同じになる。
【０００４】
図４に、独立系のアーティストのオリジナル曲が収録されたＣＤを販売するまでの手順の一例を示す。独立系のアーティストでオリジナル曲の原版を自己で作成し、この原版によりＣＤ製造業者にＣＤの大量生産を依頼し、宣伝も自己で行い、一般の購入者にアーティストが直接販売する方法がある。図４を参照して具体的に説明すると、アーティストは、オリジナル曲を用意すると（ステップＳ８１１）、オリジナル曲の原版を作成し（ステップＳ８１２）、ＣＤ製造業者にＣＤの製作を依頼する。ＣＤ製造業者は、オリジナル曲の原版を受け取ると（ステップＳ８２１）、これを用いてＣＤを大量生産する（ステップＳ８２２）。アーティストは、生産されたＣＤを受け取り（ステップＳ８１３）、この販売をＣＤ販売会社に依頼し、流通ルートにのせる（ステップＳ８１４）。一般の購入者はオリジナル曲が収録されたＣＤを小売店等で購入する（ステップＳ８３１）。この場合、アーティストは自己のホームページを開設し、オリジナル曲の宣伝や配信に利用していることが多い。
【０００５】
また、無名で資金力のない、あるいはホームページなどの開設手段が分からない個人やグループによる音楽のアーティストは、オリジナル曲を街頭等で一般の購入者に直接聞かせたりして自己で宣伝するだけで、オリジナル曲の有効なＣＤ製作や音楽配信・販売方法はないのが実情である。この場合には、一般の購入者はアーティストの演奏を聞いて、あるいは口こみで、たまたまオリジナル曲を知ることになる。
【０００６】
【特許文献１】
特開２００２−２９７１３６号公報
【０００７】
【発明が解決しようとする課題】
ところで、上述した従来のオリジナル曲の配信やＣＤの製造・販売方法によれば、プロダクションに属するアーティストや独立系の有名なアーティストであれば、ＣＤ販売会社に依頼すれば、宣伝やＣＤの販売には関与しないでよいが、オリジナル曲の人気によっては、大量に製作したＣＤが売れ残るというリスクがある。
また、独立系のアーティストで自己でＣＤ製造をＣＤ製造会社に依頼した場合には、効果的な宣伝方法を見つけることが困難で、この場合にも大量のＣＤが売れ残るリスクがある。
【０００８】
また、無名で資金力のない、あるいはホームページなどの開設手段が分からない個人やグループによる音楽のアーティストは、オリジナル曲の有効な宣伝手段を持たないため、効果的な売り込みができない。一方、一般の購入者にとっては、無名のアーティストのオリジナル曲の内容や人気ランキングを知る機会が少なく、そのオリジナル曲が欲しくても購入する手段が少ない。
【０００９】
本発明は、上記課題に鑑みてなされたもので、アーティスト自身がオリジナルの楽曲を宣伝したりＣＤを製造することなく自己の楽曲を販売することができ、また、一般の購入者が簡単にオリジナル曲を試聴して購入することができ、さらには、製造したＣＤが売れ残るリスクのない楽曲販売支援システムを提供することを目的とする。
【００１０】
【課題を解決するための手段】
上記目的を達成するために、本発明は以下の構成を有する。
即ち、請求項１に記載された発明に係る楽曲販売支援システムは、楽曲情報を入力して該楽曲情報を所定のデータベースに登録する登録手段と、前記データベースに登録された楽曲情報の一部を所定のネットワーク上で公開する情報公開手段と、前記ネットワーク上で公開された楽曲情報の注文を受け付ける受注手段と、前記受注手段で受注された楽曲情報を、発注者に発送すべき商品に加工する加工手段と、を備える。
請求項２に記載された発明は、請求項１に記載された楽曲販売支援システムにおいて、前記情報加工手段により加工された商品を前記発注者宛に発送する発送手段を更に備えたことを特徴とする。
【００１１】
請求項３に記載された発明は、請求項１または２に記載された楽曲販売支援システムにおいて、前記ネットワーク上に公開された楽曲情報に対し人気ランキングを決定し、該人気ランキングを前記情報公開手段に公開させるランキング付与手段を更に備えたことを特徴とする。
請求項４に記載された発明は、請求項３に記載された楽曲販売支援システムにおいて、前記ランキング付与手段が、前記情報公開手段により前記ネットワーク上に公開された楽曲情報に対する投票を受け付け、該投票の結果に基づき前記人気ランキングを決定することを特徴とする。
【００１２】
請求項５に記載された発明に係る楽曲販売支援方法は、個人またはグループによる音楽のアーティストが、ＣＤ製作販売会社に、オリジナル曲、著作権の存在しない曲、または著作権使用許諾書を得た曲の演奏メディアなどの楽曲を申込むことにより、ＣＤ製作販売会社は前記楽曲をホームページに掲載し、インターネットを介して一般の購入者に前記楽曲を配信により販売し、または前記楽曲のＣＤを販売することを支援するものである。
請求項６に記載された発明は、請求項５に記載された楽曲販売支援方法において、前記楽曲の人気ランキングを前記アーティストに知らせ、前記楽曲をインターネットを介して配信し、または前記楽曲のＣＤを作成して販売し、前記配信または販売のロイヤリティを前記アーティストに支払うことを特徴とする。
【００１３】
請求項７に記載された発明は、請求項５に記載された楽曲販売支援方法において、前記ＣＤ製作販売会社は、前記アーティストから前記楽曲を入手し、これを他のアーティストからの楽曲と共にホームページに掲載して、インターネットを介して一般の購入者が視聴できるようにし、また前記楽曲の一部の曲の人気ランキングが前記アーティストにも一般の購入者にも分かるようにしながら、一般の購入者から購入希望者に対して、音楽をインターネットで配信し、またはＣＤを製作して販売することを特徴とする。
【００１４】
請求項８に記載された発明は、請求項５に記載された楽音販売支援方法において、前記一般の購入者はインターネットを介してＣＤ製作販売会社のホームページを閲覧し、楽曲の視聴により自己の好みの楽曲に投票しながら人気ランキングを知り、インターネットでの楽曲の配信、またはＣＤを購入することを特徴とする。
【００１５】
換言すると、本発明は以下のようである。
本発明は、例えばアーティストとＣＤ製作販売会社、および一般の購入者が役割分担する形で行動し、全体をインターネットでまとめた楽曲販売支援システムとして構成される。ＣＤ製作販売会社はアーティストのオリジナル曲を自己のホームページに掲載することにより宣伝し、一般の購入者がオリジナル曲をインターネットでホームページを閲覧できるようにして、アーティストと一般の購入者を結びつけることにより、オリジナル曲の配信あるいはＣＤの販売を支援する。この構成によれば、アーティストは音楽を作詞、作曲あるいは歌にしてオリジナル曲を用意してＣＤ製作販売会社に依頼するだけでよく、自己で宣伝やＣＤの製作や販売に何ら関与することなく、ＣＤ製造・販売会社のホームページを閲覧しながらオリジナル曲の人気ランキングを知りながら、オリジナル曲が売れればそのロイヤリティを入手できる。
【００１６】
【発明の実施の形態】
以下、本発明の実施形態に係る楽曲販売支援システムを図１および図２に基づいて説明する。この楽曲販売支援システムは、インターネット（所定のネットワーク）の不特定多数の利用者に対し、自ら創作したオリジナル曲、著作権の存在しない曲、または著作権使用許諾書を得た曲の演奏メディア等（以下、楽曲と称す）を発表する場を提供すると共に、その楽曲の売買を支援するものである。
図１において、１００はインターネット、２００はＣＤ製作販売会社側に設置されたサーバ、３００は楽曲の創作者である各アーティストが所有する端末、４００は楽曲の各購入者が所有する端末であり、これら端末３００，４００はインターネット１００を介してサーバ２００に接続されている。なお、端末３００，４００はインターネット接続業者などの中継端末を介してインターネット１００に接続されるていが、同図では省略してある。
【００１７】
ここで、サーバ２００は、アーティストによって創作されたオリジナル曲の楽曲データを格納するためのデータベース２１０（所定のデータベース）を備えると共に、このサーバ２００には、ＣＤドライバ２２０が接続されている。このＣＤドライバ２２０は、記録媒体であるＣＤ２３０に楽音データを書き込むためのものであり、例えばＣＤ−Ｒ型、ＣＤ−ＲＷ型、ＣＤ−ＲＡＭ型が用いられ、これによりオリジナル曲をＣＤ２３０に収録するようになっている。また、サーバ２００には、オリジナル曲をインターネット上で公開するためのホームページが開設されている。
【００１８】
以下、図２を参照して、本実施形態に係る楽曲販売支援システムの動作を説明する。図２は本システムの利用手順を示し、同図において１はアーティストの、２はＣＤ製作販売会社の、３は一般の購入者のそれぞれの行動内容を表す。
まず、アーティストは売り込みたいオリジナル曲を用意し（ステップＳ１１）、申込書によりオリジナル曲の販売依頼申し込みを行うと共に、このオリジナル曲をＣＤあるいはＭＤの形にし、宅配便などの物流経路５０１を介してＣＤ作成販売会社に送付し（ステップＳ１３）、決められた様式で申し込む。
【００１９】
ＣＤ製作販売会社では、アーティストからの申込を受け付け、楽曲の取り扱い（公開、販売、ロイヤリティ等の事項）に関する契約を結ぶ（ステップＳ２１）。サーバ２００は、アーティストから送付されたＣＤに収録されたオリジナル曲のデータ（楽音情報）を入力し、これをデータベース２１０に登録する。また、サーバ２００は、オリジナル曲の試聴・販売ができ、また人気のランキングが分かるようにしたホームページを作成し（ステップＳ２２）、データベース２１０に登録されたオリジナル曲の一部をインターネット１００上で公開する。
【００２０】
一般の購入者はサーバ２００に開設されたホームページを閲覧しながらオリジナル曲を試聴し（ステップＳ３１）、ホームページ上でお気に入りのオリジナル曲に投票する（ステップＳ３２）。サーバ２００は、一般の購入者による投票を受け付け、この投票結果に基づき人気ランキングを決定する。そして、この投票結果を反映させてオリジナル曲の人気ランキングをホームページ上で公開する。アーティストは、サーバ２００に開設されたホームページを閲覧しながら自己のオリジナル曲の人気のランキングをチェックできる（ステップＳ１４）。
【００２１】
一般の購入者は好みのオリジナル曲を購入したければ、インターネットで銀行振込か代引きの方法で購入手続を行う（ステップＳ３３）。ＣＤ製作販売会社のサーバ２００は、手続に不備がなければ、この購入手続を受け付け（ステップＳ２３）、インターネット１００上で公開されたオリジナル曲の注文が成立する。ここで、注文が成立すると、購入者がインターネットによる配信を希望する場合には、サーバ２００は、該当するオリジナル曲のデータをデータベース２１０から読み出し、これを商品として所定のデータ形式を有する楽曲データに加工し、インターネットによる通信経路５０２を介して発注者宛に配信（発送）する。
【００２２】
これに対し、ＣＤ購入の場合は、ＣＤドライブ２２０によりオリジナル曲が収録されたＣＤ２３０を製作し（ステップＳ２４）、例えば宅配便などの物流経路５０３を介して一般の購入者（発注者）に発送する（ステップＳ２５）。ＣＤ２３０は、上述のステップＳ２４での作成以前にジャケットも含めて試作されていて、オリジナル曲だけでなくジャケットを含めた完成された商品として販売される。一般の購入者は、ＣＤ製作販売会社から発送されてきたＣＤ２３０を受け取る（ステップＳ３４）。ＣＤ製作販売会社は購入者から回収した代金の一部をロイヤリティとしてアーティストに支払う（ステップＳ２６）。アーティストは、これを振込みあるいは現金の形で受け取る（ステップＳ１５）。
以上により、アーティストのオリジナル曲が一般に公開され、購入者との間で売買が成立し、オリジナル曲の販売が支援されることになる。
【００２３】
【発明の効果】
本発明は、以上説明したようにアーティストとＣＤ製作販売会社と一般の購入者がそれぞれ独立した形でありながら、全体はインターネットを介したシステムとしてまとまった形で構成されるので、以下のような効果がある。
【００２４】
プロダクションに属さず、無名で資金力のない、あるいはホームページなどの開設手段が分からずオリジナル曲の宣伝方法をもたない個人、またはグループによる音楽のアーティストは、オリジナル曲の宣伝を自己で行うことなく、オリジナル曲の人気のランキングを知りながら、オリジナル曲の売上に応じたロイヤリティーを得ることができ、オリジナル曲の人気ランキングが上がれば、必然的に名前が売れる。
【００２５】
また、ＣＤ製作販売会社はアーティストからのオリジナル曲を受け付け、自己のホームページに掲載しながら宣伝して、ジャケットまで含めた完成品としてのオリジナル曲の完成品としてのＣＤを製作するだけで、一般の購入者の注文に応じて、インターネットで配信したり、あるいは販売したりでき、大量にＣＤを製作することなく一般の購入者に販売できる。これにより、ＣＤの製作過剰のリスクを回避できる。
【００２６】
さらに、一般の購入者は、マスメディアの宣伝によることなく、ＣＤ製作販売会社のホームページを閲覧するだけで前記アーティストのオリジナル曲を試聴でき、人気のランキングに自己が投票する形で、インターネットを介してオリジナル曲の配信、あるいはＣＤを購入できる。
従って、本発明によれば、アーティスト自身がオリジナルの楽曲を宣伝したりＣＤを製造することなく自己の楽曲を販売することができ、また、一般の購入者が簡単にオリジナル曲を試聴して購入することができ、さらには、製造したＣＤが売れ残るリスクを軽減することができる。
【図面の簡単な説明】
【図１】本発明の実施形態に係る楽曲販売支援システムの全体構成を示す図である。
【図２】本発明の実施形態に係る楽曲販売支援システムの利用手順を示す図である。
【図３】従来技術に係る販売手順の一例を説明するため図である。
【図４】従来技術に係る販売手順の他の例を説明するための図である。
【符号の説明】
１；アーティスト側の手順（行動内容）、２；ＣＤ製作販売会社側の手順（行動内容）、３；一般の購入者側の手順（行動内容）、１００；インターネット、２００；サーバ、２１０；データベース、３００；端末（アーティスト側），４００；端末（一般の購入者側）。
【図１】
2004177808.tif 000003
【図２】
2004177808.tif 000004
【図３】
2004177808.tif 000005
【図４】
2004177808.tif 000006